Podtech/llm-jp-corpus-v4-ja_patent huggingface dataset:
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
ハイブリッド・ランド・グリッド・アレイ・コネクタを製造する方法であって、
ハイブリッド・ランド・グリッド・アレイ・コネクタのための本体を提供することであって、前記本体は第１の複数の穴および第２の複数の穴を含む、前記本体を提供することと、
前記本体の頂部表面上、前記本体の底部表面上、および前記第１の複数の穴の壁部表面上に、導電層を堆積させることであって、前記本体の前記頂部表面は前記本体の前記底部表面と電気的に共通である、前記導電層を堆積させることと、
前記第１の複数の穴の第１のサブセットの壁部表面から前記導電層を除去することと、
前記第１の複数の穴の前記第１のサブセット周囲の領域から、前記本体の前記頂部表面上および前記本体の前記底部表面から前記導電層の一部を除去することと
を含む、方法。
【請求項２】
複数のばね接点を前記第１の複数の穴内にスティッチすること、
をさらに含み、
前記第１の複数の穴の前記第１のサブセット内にスティッチされた前記複数のばね接点は、互いに電気的に絶縁され、
前記第１の複数の穴の第２のサブセット内にスティッチされた前記複数のばね接点は、少なくとも、互いと、前記本体の前記頂部表面上の前記導電層と、および前記本体の前記底部表面上の前記導電層と、電気的に共通である、
請求項１に記載の方法。
【請求項３】
前記導電層を、前記第１の複数の穴の前記第１のサブセットの前記壁部表面、および、前記第１の複数の穴の前記第１のサブセットの周囲の領域から、前記導電層を除去するために、減法フォトリソグラフィ・プロセスが使用される、請求項１に記載の方法。
【請求項４】
前記第１の複数の穴の第２のサブセット内に材料を堆積させること、
をさらに含む、請求項１に記載の方法。
【請求項５】
前記材料は誘電体材料である、請求項４に記載の方法。
【請求項６】
前記本体の頂部表面上、前記本体の底部表面上、および前記第１の複数の穴の壁部表面上に、導電層を堆積させるステップは、
前記第２の複数の穴の壁部表面上に前記導電層を堆積させること、
をさらに含む、請求項１に記載の方法。
【請求項７】
前記第２の複数の穴の各々内に導電ポストをスティッチすること、
をさらに含み、
前記導電ポストは、前記本体の前記頂部表面上の前記導電層と前記本体の前記底部表面上の前記導電層との間に、電気接続を提供する、
請求項１に記載の方法。
【請求項８】
ハイブリッド・ランド・グリッド・アレイ・コネクタであって、
第１の複数の穴および第２の複数の穴を含む本体と、
前記本体の頂部表面上、前記本体の底部表面上、前記第１の複数の穴の第１のサブセットの壁部表面上、および前記第２の複数の穴の壁部表面上の、導電層であって、前記本体の前記頂部表面、前記本体の前記底部表面、前記第１の複数の穴の前記第１のサブセット、および前記第２の複数の穴は、電気的に共通である、前記導電層と、
前記第１の複数の穴内にスティッチされたばね接点と
を備える、ハイブリッド・ランド・グリッド・アレイ・コネクタ。
【請求項９】
前記第２の複数の穴は前記第１の複数の穴に対してハーフピッチで配置される、請求項８に記載のハイブリッド・ランド・グリッド・アレイ・コネクタ。
【請求項１０】
前記第２の複数の穴は前記第１の複数の穴に対してより小さい、請求項８に記載のハイブリッド・ランド・グリッド・アレイ・コネクタ。
【請求項１１】
前記本体は誘電体材料である、請求項８に記載のハイブリッド・ランド・グリッド・アレイ・コネクタ。
【請求項１２】
前記導電層は銅である、請求項８に記載のハイブリッド・ランド・グリッド・アレイ・コネクタ。
【請求項１３】
前記ばね接点は銅である、請求項８に記載のハイブリッド・ランド・グリッド・アレイ・コネクタ。
【請求項１４】
ハイブリッド・ランド・グリッド・アレイ・コネクタであって、
第１の複数の穴および第２の複数の穴を含む本体と、
前記第２の複数の穴の各々内にスティッチされた導電ポストと、
前記本体の頂部表面上、前記本体の底部表面上、前記第１の複数の穴の第１のサブセットの壁部表面上、および前記導電ポスト上の、導電層であって、前記本体の前記頂部表面、前記本体の前記底部表面、前記第１の複数の穴の前記第１のサブセット、および前記導電ポストは、電気的に共通である、前記導電層と、
前記第１の複数の穴内にスティッチされたばね接点と、
を備える、ハイブリッド・ランド・グリッド・アレイ・コネクタ。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
ボクセルに編成されたボリューメトリック画像データを受け取るためのデータ入力であって、前記ボリューメトリック画像データは、撮像された物体の複数の位置合わせされたボリューメトリック画像を含む、データ入力と、
前記複数の位置合わせされたボリューメトリック画像の各々におけるノイズの空間分布を示すノイズモデルを生成するためのノイズモデラーと、
前記ボリューメトリック画像データを考慮に入れて複数の画像特徴を検出するための特徴検出器と、
複数の検出された前記画像特徴のサブセットの特徴位置を示す複数の参照を生成するためのマーカ生成器であって、前記サブセットは、分類及び／又は視認性基準に基づいて、前記複数の位置合わせされたボリューメトリック画像の中の参照ボリューメトリック画像上で判別するのが難しいと分類される検出された前記画像特徴に対応し、前記分類及び／又は前記視認性基準は前記ノイズモデルを考慮に入れる、マーカ生成器と、
を備える、画像処理装置。
【請求項２】
前記データ入力は、単一のスペクトルコンピュータ断層撮影獲得シーケンスから取得及び／又は導出された前記複数の位置合わせされたボリューメトリック画像の形態で、前記ボリューメトリック画像データを受け取る、請求項１に記載の画像処理装置。
【請求項３】
前記参照ボリューメトリック画像は、前記スペクトルコンピュータ断層撮影獲得シーケンスによって取得された、又はそれから導出された、従来のコンピュータ断層撮影画像を表す、請求項２に記載の画像処理装置。
【請求項４】
前記特徴検出器は、各検出された画像特徴のロケーション及びスケールを特定し、前記マーカ生成器は、各検出された画像特徴の特定された前記ロケーション及び特定された前記スケールを考慮に入れて、各検出された特徴のための複数の視認性基準を決定する、請求項１に記載の画像処理装置。
【請求項５】
前記マーカ生成器は、前記視認性基準のうち予め決められた数が満たされる場合に、検出された画像特徴を、前記参照ボリューメトリック画像上で判別するのが難しいと分類する、請求項４に記載の画像処理装置。
【請求項６】
前記マーカ生成器は、各画像特徴のコントラスト対ノイズ比を、少なくとも前記画像特徴が検出された画像内で推定し、及び／又は、前記参照ボリューメトリック画像内で各画像特徴のコントラスト対ノイズ比を推定する、請求項１に記載の画像処理装置。
【請求項７】
前記マーカ生成器は、各画像特徴について、前記画像特徴が検出された画像における前記画像特徴のロケーションの周囲の領域内のボクセル値の標準偏差を計算する、請求項１に記載の画像処理装置。
【請求項８】
前記マーカ生成器は、各画像特徴について、前記参照ボリューメトリック画像と、少なくとも前記画像特徴が検出された画像とのそれぞれにおける前記画像特徴のロケーションの周囲の領域間で、正規化された相互相関及び／又は相互情報量を計算する、請求項１に記載の画像処理装置。
【請求項９】
少なくとも特徴が検出された画像内で、検出された前記特徴に対応する構造のセグメント化を行うためのセグメント化ユニットを備える、請求項１に記載の画像処理装置。
【請求項１０】
前記特徴検出器は、複数の前記ボリューメトリック画像の各々、又はそのサブセットの各々について、スケール正規化されたガウスのラプラシアンを計算する、請求項１に記載の画像処理装置。
【請求項１１】
前記ノイズモデラーは、モンテカルロ推定方法、分析方法、及び／又は直接抽出技術を使用して前記ノイズモデルを推定する、請求項１に記載の画像処理装置。
【請求項１２】
参照ボリューメトリック画像上で判別するのが難しいと分類される画像特徴を示す複数の参照を生成する方法であって、前記方法が、
ボクセルに編成されたボリューメトリック画像データを受け取るステップであって、前記ボリューメトリック画像データは、撮像された物体の複数の位置合わせされたボリューメトリック画像を含む、受け取るステップと、
前記複数の位置合わせされたボリューメトリック画像の各々におけるノイズの空間分布を示すノイズモデルを生成するステップと、
前記ボリューメトリック画像データを考慮に入れて複数の画像特徴を検出するステップと、
複数の検出された前記画像特徴のサブセットの特徴位置を示す前記複数の参照を生成するステップであって、前記サブセットは、数値分類及び／又は視認性基準に基づいて、前記複数の位置合わせされたボリューメトリック画像の中の参照ボリューメトリック画像上で判別するのが難しいと分類される検出された前記画像特徴に対応し、前記分類及び／又は前記視認性基準は前記ノイズモデルを考慮に入れる、生成するステップと、
を有する、方法。
【請求項１３】
コンピューティングシステムのプロセッサによって実行されると、前記コンピューティングシステムに請求項１２に記載の方法を行わせる１つ又は複数のコンピュータ実行可能命令が符号化された、非一時的コンピュータ可読記憶媒体。
【手続補正書】
【提出日】令和3年8月11日(2021.8.11)
【手続補正１】
【補正対象書類名】特許請求の範囲
【補正対象項目名】全文
【補正方法】変更
【補正の内容】
【特許請求の範囲】
【請求項１】
ＭＲＩ装置用の電磁石アセンブリ（１０）であって、磁気共鳴撮像（ＭＲＩ）装置用の電磁石（１００）を含み、該電磁石（１００）が、
第１の軸線方向外面（１１２）を有し、磁場を発生させるための環状コイル（１１０）と、
前記コイル（１１０）を前記ＭＲＩ内に取り付けるための支持要素（１２０）であって、前記コイル（１１０）の前記第１の軸線方向外面（１１２）に接着された支持要素（１２０）と、
支持板（２１０、２２０）を含む支持構造（２００）と
を含み、
前記支持要素（１２０）が、前記支持板（２１０、２２０）に取り付けられており、
前記支持構造（２００）が、前記コイルの径方向厚さよりも大きい距離によって前記径方向に分離されて、空洞（２１５）を間に形成する、前記環状コイルの前記径方向に沿って互いに離間する、一対の、軸線方向に配向されて離間した支持板（２１０、２２０）を備え、
前記支持要素（１２０）が、前記空洞（２１５）に受容され、前記支持板（２１０、２２０）に機械的に締結されている、
ことを特徴とする電磁石アセンブリ（１０）。
【請求項２】
前記支持要素（１２０）が、支持構造（２００）に機械的に締結されるように構成されている、請求項１記載の電磁石アセンブリ（１０）。
【請求項３】
前記支持要素（１２０）が、前記支持要素（１２０）を前記第１の軸線方向外面（１１２）に接着するための接着面（１２２）を備え、前記接着面（１２２）は、その周縁部に向かって剛性が低くなり、かつその中央領域に向かって剛性が高くなるように構成されている、請求項１または２記載の電磁石アセンブリ（１０）。
【請求項４】
複数の支持要素（１２０）が、前記第１の軸線方向外面に接着されており、前記複数の支持要素（１２０）が、前記第１の軸線方向外面（１１２）の周に等間隔に配置されている、請求項１から３までのいずれか１項記載の電磁石アセンブリ（１０）。
【請求項５】
前記コイル（１１０）が、前記第１の軸線方向外面（１１２）とは反対側の第２の軸線方向外面（１１４）を備え、更なる支持要素（１２０’）が、前記第２の軸線方向外面（１１４）に接着されている、請求項１から４までのいずれか１項記載の電磁石アセンブリ（１０）。
【請求項６】
前記電磁石（１００）と前記支持要素（１２０）とが、極低温用途に適した接着剤を用いて接着されている、請求項１から５までのいずれか１項記載の電磁石アセンブリ（１０）。
【請求項７】
前記コイル（１１０）と前記支持要素（１２０）とが、樹脂含浸されてモノリシック構造を形成している、請求項１から６までのいずれか１項記載の電磁石アセンブリ（１０）。
【請求項８】
前記支持板（２１０、２２０）と前記支持要素（１２０）との間にピン接続部を形成するためにピン（３００）の周囲に取り付けられた延長管（３１０）を備え、前記延長管（３１０）が、前記支持板（２１０、２２０）に当接するように構成されており、前記コイル（１１０）がその超伝導状態にあるときに、前記ピン（３００）が前記支持要素（１２０）の圧縮を維持するように構成されている、請求項１から７までのいずれか１項記載の電磁石アセンブリ（１０）。
【請求項９】
前記コイルがその超伝導状態にあるときに、前記支持板（２１０、２２０）が、前記支持要素（１２０）および前記更なる支持要素（１２０’）を前記コイル（１１０）に押し付けるように構成されている、請求項５を引用する請求項７または８記載の電磁石アセンブリ（１０）。
【請求項１０】
前記支持要素（１２０）および前記支持板（２１０、２２０）が、前記電磁石（１００）を前記支持構造（２００）に固定するためのピン接続部を形成するように構成されている、請求項７から９までのいずれか１項記載の電磁石アセンブリ（１０）。
【請求項１１】
請求項８から１０までのいずれか１項記載の電磁石アセンブリ（１０）を備えた、ＭＲＩ装置。
【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
コーティングされた基材であって、
ａ）基材と、
ｂ）前記基材上にあり、
１）１つ以上のアルコキシシラン試薬から得ることができ、
２）直鎖または分枝鎖構造を含む１つ以上のオルガノシランポリマーを含む、コーティング組成物と、
ｃ）前記コーティング組成物と結合するトップコート組成物と、を含む、
コーティングされた基材。
【手続補正書】
【提出日】令和3年9月27日(2021.9.27)
【手続補正１】
【補正対象書類名】明細書
【補正対象項目名】００６２
【補正方法】変更
【補正の内容】
【００６２】
精密化領域の特定−アルゴリズムが一部の局所的な最小値に集中している場合、ユーザが、目視検査に基づいて精密化のための良好な領域を特定し、これらの良好な領域に向けて状態を手動で摂動できる場合がある。
なお、以上の各実施例に加えて以下の態様について付記する。
（付記１）
歯科矯正治療経路のセットアップを生成するための方法であって、
歯のデジタル３Ｄモデルを受け取る工程と、
前記モデル上で隣接面削合（ＩＰＲ）を実施する工程と、
前記隣接面削合（ＩＰＲ）を実施した後に、初期セットアップ、最終セットアップ、及び複数の中間セットアップを含む段階を有する初期治療経路を生成する工程と、
前記初期治療経路の各段階での各歯の隣接面削合（ＩＰＲ）アクセシビリティを演算する工程と、
演算された前記隣接面削合（ＩＰＲ）アクセシビリティに基づいて前記初期治療経路全体に隣接面削合（ＩＰＲ）を適用する工程と、
前記初期治療経路を前記歯の実現可能な移動のステップに区分し、前記ステップに対応するセットアップを有する最終治療経路をもたらす工程と、
を含む方法。
（付記２）
前記実施する工程は、キー中間セットアップを有する前記初期治療経路を生成することを含む、付記１に記載の方法。
（付記３）
前記適用する工程は、特定の解像度に基づいて前記初期治療経路の軌跡精密化を実施することを含み、前記解像度は、前記治療経路内に複数のステップを含む、付記１に記載の方法。
（付記４）
前記適用する工程は、前記セットアップにスコアを割り当てる評価基準に基づいて、前記初期治療経路の前記軌跡精密化を実施することを含む、付記３に記載の方法。
（付記５）
前記軌跡精密化を実施することは、前記治療経路の前記解像度を調整することを含む、付記３又は４に記載の方法。
（付記６）
前記軌跡精密化を実施することは、前記治療経路が前記評価基準を満たさない場合に、新たな治療経路を生成することを含む、付記３〜５のいずれか一項に記載の方法。
（付記７）
前記新たな治療経路を生成することは、前記治療経路に平滑化アルゴリズムを適用することを含む、付記６に記載の方法。
（付記８）
前記新たな治療経路を生成することは、前記治療経路に領域精密化アルゴリズムを適用することを含む、付記６又は７に記載の方法。
（付記９）
前記新たな治療経路を生成することは、前記評価基準を満たす最短治療経路を見つけることを含む、付記６〜８のいずれか一項に記載の方法。
（付記１０）
前記適用する工程は、前記治療経路に隣接面削合（ＩＰＲ）バッチ処理アルゴリズムを適用することを含む、付記１に記載の方法。
（付記１１）
前記隣接面削合（ＩＰＲ）バッチ処理アルゴリズムを適用することは、前記治療中に可能な限り早く隣接面削合（ＩＰＲ）を適用することを含む、付記１０に記載の方法。
（付記１２）
前記隣接面削合（ＩＰＲ）バッチ処理アルゴリズムを適用することは、隣接面削合（ＩＰＲ）セッションの数を最小化することを含む、付記１０に記載の方法。
（付記１３）
前記隣接面削合（ＩＰＲ）バッチ処理アルゴリズムを適用することは、ユーザ入力に基づいてバッチ処理アルゴリズムを選択することを含む、付記１１又は１２に記載の方法。
（付記１４）
前記適用する工程は、ユーザ入力に部分的に基づいて前記最終治療経路を生成することを含む、付記１に記載の方法。
（付記１５）
前記ユーザ入力は、キーセットアップを含む、付記１４に記載の方法。
（付記１６）
前記ユーザ入力は、中間セットアップを含む、付記１４又は１５に記載の方法。
（付記１７）
前記ユーザ入力は、近似セットアップを含む、付記１４〜１６のいずれか一項に記載の方法。
（付記１８）
前記ユーザ入力は、精密化のための領域を特定することを含む、付記１４〜１７のいずれか一項に記載の方法。
（付記１９）
前記適用する工程は、キーフレームに基づいて前記最終治療経路を分割することを含む、付記１に記載の方法。
（付記２０）
前記適用する工程は、複数の最終治療経路を生成することを含む、付記１に記載の方法。
（付記２１）
前記複数の治療経路のそれぞれについて１つ以上のスコアを報告することを更に含む、付記２０に記載の方法。
（付記２２）
ユーザ入力に基づいて、前記複数の最終治療経路の中から前記最終治療経路を選択することを更に含む、付記２０又は２１に記載の方法。
（付記２３）
歯科矯正治療経路のセットアップを生成するための方法であって、
第１の状態を表す歯の第１のデジタルモデルを受け取る工程と、
第２の状態を表す歯の第２のデジタルモデルを受け取る工程と、
前記第１の状態と前記第２の状態との間で、前記第１の状態から前記第２の状態への実現可能な移動のステップに対応する状態のセットを区分する工程と、
を含む方法。
（付記２４）
前記第１及び第２のデジタルモデルは、前記歯の３Ｄ表現を含む、付記２３に記載の方法。
（付記２５）
キーフレーム状態が、前記第１の状態と前記第２の状態との間のステップとして含まれる、付記２３に記載の方法。
（付記２６）
前記第１及び第２のデジタルモデルは、隣接面削合（ＩＰＲ）に関する情報を含む、付記２３に記載の方法。
（付記２７）
前記区分する工程は、隣接面削合（ＩＰＲ）の早期完了のため、又は隣接面削合（ＩＰＲ）が適用されるステップ数を最小にするために最適化する、付記２３に記載の方法。
（付記２８）
前記第１の状態は、初期状態であり、前記第２の状態は、前記治療経路の最終状態である、付記２３に記載の方法。
【手続補正２】
【補正対象書類名】特許請求の範囲
【補正対象項目名】全文
【補正方法】変更
【補正の内容】
【特許請求の範囲】
【請求項１】
歯科矯正治療経路のセットアップを生成するための方法であって、
歯のデジタル３Ｄモデルを受け取る工程と、
前記モデル上で隣接面削合（ＩＰＲ）を実施する工程と、
前記隣接面削合（ＩＰＲ）を実施した後に、初期セットアップ、最終セットアップ、及び複数の中間セットアップを含む段階を有する初期治療経路を生成する工程と、
前記初期治療経路の各段階での各歯の隣接面削合（ＩＰＲ）アクセシビリティを演算する工程と、
演算された前記隣接面削合（ＩＰＲ）アクセシビリティに基づいて前記初期治療経路全体に隣接面削合（ＩＰＲ）を適用する工程と、
前記初期治療経路を前記歯の実現可能な移動のステップに区分し、前記ステップに対応するセットアップを有する最終治療経路をもたらす工程と、
を含む方法。
【請求項２】
前記適用する工程は、特定の解像度に基づいて前記初期治療経路の軌跡精密化を実施することを含み、前記解像度は、前記治療経路内に複数のステップを含む、請求項１に記載の方法。
【請求項３】
前記適用する工程は、前記セットアップにスコアを割り当てる評価基準に基づいて、前記初期治療経路の前記軌跡精密化を実施することを含む、請求項２に記載の方法。
【請求項４】
前記適用する工程は、ユーザ入力に部分的に基づいて前記最終治療経路を生成することを含む、請求項１に記載の方法。
【手続補正書】
【提出日】令和3年9月21日(2021.9.21)
【手続補正１】
【補正対象書類名】特許請求の範囲
【補正対象項目名】全文
【補正方法】変更
【補正の内容】
【特許請求の範囲】
【請求項１】
患者に人工呼吸を行うための人工呼吸器（１０）であって、
−呼吸ガス源（１５）、
−前記呼吸ガス源（１５）と、患者側の近位端との間に延在する呼吸回路組立体（３０）、
−吸気弁（２０）及び呼気弁（２２）を含む弁組立体（２０、２２）、
−前記呼吸回路組立体（３０）内のガス流量を定量的に検出するための流量センサ組立体（４４、４８）であって、前記呼吸回路組立体（３０）の患者側端部からより遠くに離れて配置された遠位流量センサ（４８）と、前記呼吸回路組立体（３０）の患者側端部のより近くに位置する近位流量センサ（４４）とを有する流量センサ組立体（４４、４８）、
−前記呼吸回路組立体（３０）内を流れるガスのガス圧を定量的に検出するための圧力センサ組立体（２７）、
−前記呼吸回路組立体（３０）内を流れるガスのガス圧を変更するための圧力変更装置（１６）、及び、
−少なくとも、
・前記圧力変更装置の動作を、前記近位流量センサ（４４）の測定信号に基づいて制御するように、かつ、
・前記近位流量センサ（４４）及び前記遠位流量センサ（４８）の測定信号に依存して、前記近位流量センサのエラーを推測するように構成された制御装置（１８）、
を有している人工呼吸器において、
前記制御装置（１８）が、前記近位流量センサ（４４）及び前記遠位流量センサ（４８）の測定信号に依存して、すなわち前記近位流量センサ（４４）と前記遠位流量センサ（４８）との、検出されたフロー値及び／又は前記検出されたフロー値から算出された量値が定量的に近づくことに基づいて、前記近位流量センサ（４４）のエラー候補を推測し、前記エラー候補の検出後、時間的な遅れを伴って、ようやく前記近位流量センサ（４４）のエラーを推測するように構成されており、前記制御装置（１８）は、前記エラー候補の検出と共に、又は、検出の後で開始する検証段階の間に、少なくとも１つの、患者の自発呼吸活動の程度を考慮した、エラー候補を却下するための却下基準が満たされる場合、前記エラー候補を却下するように構成されていることを特徴とする人工呼吸器（１０）。
【請求項２】
少なくとも１つの前記却下基準が、
−人工呼吸器を用いて人工呼吸が施されている患者によって引き起こされる、患者の能動呼吸の数が、前記検証段階の間に、能動呼吸閾値を超過すること、
を含み得ることを特徴とする、請求項１に記載の人工呼吸器（１０）。
【請求項３】
前記制御装置（１８）が、能動呼吸を検出するように構成されていることを特徴とする、請求項２に記載の人工呼吸器（１０）。
【請求項４】
前記制御装置（１８）が、検出呼吸の開始と前記検出呼吸の直後の呼吸の開始との間の時間長を前記検出呼吸の呼吸時間として表現する時間長検出値を、動作時間長値と比較するように構成されており、前記動作時間長値は、人工呼吸器によって引き起こされる２つの直接連続する強制換気の、それぞれ強制的な開始の間の時間長を、強制換気時間として表しており、前記制御装置（１８）は、前記検出呼吸を、時間長の比較結果に基づいて、能動呼吸として検出するように構成されていることを特徴とする、請求項３に記載の人工呼吸器（１０）。
【請求項５】
前記制御装置（１８）が、検出呼吸の開始と前記検出呼吸の直後の呼吸の開始との間の時間長を前記検出呼吸の呼吸時間として表現する時間長検出値を、時間長基準値と比較するように構成されており、前記時間長基準値は、複数の呼吸に関して平均化した呼吸時間の平均値を表しており、前記制御装置（１８）は、前記検出呼吸を、時間長の比較結果に基づいて、能動呼吸として検出するように構成されていることを特徴とする、請求項３に記載の人工呼吸器（１０）。
【請求項６】
前記時間長基準値が、前記検出呼吸まで続いていく所定の数の呼吸に関する呼吸時間の移動平均を表していることを特徴とする、請求項５に記載の人工呼吸器（１０）。
【請求項７】
前記制御装置（１８）が、前記呼吸回路組立体（３０）内を流れるガスのガス圧を検出し、検出呼吸の間に検出されたガス圧を、先行呼吸の間に検出されたガス圧と比較するように構成されており、前記制御装置（１８）が、前記検出呼吸を、圧力の比較結果に基づいて、能動呼吸として検出するように構成されていることを特徴とする、請求項３〜６のいずれか一項に記載の人工呼吸器（１０）。
【請求項８】
前記制御装置（１８）が、検出呼吸の間に、患者の食道圧力又は／及び胸膜圧力の少なくとも１つの値を検出し、少なくとも１つの検出された圧力値に基づいて、前記検出呼吸を能動呼吸として検出するように構成されていることを特徴とする、請求項３〜７のいずれか一項に記載の人工呼吸器（１０）。
【請求項９】
前記能動呼吸閾値が、検証段階における呼吸数全体の少なくとも３９％、好ましくは少なくとも４５％、特に好ましくは少なくとも５０％であることを特徴とする、請求項２〜８のいずれか一項に記載の人工呼吸器（１０）。
【請求項１０】
前記制御装置（１８）が、所定の前記検証段階の間に検出された能動呼吸の数が、ゼロより大きく、所定の前記能動呼吸閾値よりも小さい場合に、前記検証段階を、追加検証段階の分、延長するように構成されていることを特徴とする、請求項２〜９のいずれか一項に記載の人工呼吸器（１０）。
【請求項１１】
少なくとも１つの前記却下基準が、
−前記遠位流量センサ（４８）を用いて算出された遠位ガス量と、前記近位流量センサ（４４）を用いて同じ呼吸の間に算出された近位ガス量との差を表す、量差分値が、量差分値許容範囲内にあること、又は／及び、
−異なる呼吸の間に、圧力センサ組立体によって検出されたガス圧の間の差を表す圧力差分値が、圧力差分値許容範囲内にあること、
を含むことを特徴とする、請求項１〜１０のいずれか一項に記載の人工呼吸器（１０）。
【請求項１２】
前記制御装置（１８）が、決められた通りの強制換気動作において、前記圧力変更装置（１６）を、前記呼吸回路組立体（３０）内を流れるガスのガス圧を変更するために、前記近位流量センサ（４４）の測定信号（５２；５２’）に応じて作動させ、これによって、前記近位流量センサ（４４）によって検出されたガス流量値に基づいて算出されたガス量値が、所定の量値範囲内にあり、好ましくはほぼ一定になるように構成されていることを特徴とする、請求項１〜１１のいずれか一項に記載の人工呼吸器（１０）。
【請求項１３】
前記近位流量センサ（４４）が、差圧センサ（４４）であり、前記圧力センサ組立体（２７）は、前記差圧センサ（４４）において検出されたガス圧の内の少なくとも１つを、前記呼吸回路組立体（３０）内を流れるガスのガス圧として検出し、前記制御装置（１８）は、検出された前記ガス圧を、前記近位流量センサ（４４）のエラー候補を検出するために用いることを特徴とする、請求項１〜１２のいずれか一項に記載の人工呼吸器（１０）。
【請求項１４】
前記制御装置（１８）が、前記近位流量センサ（４４）におけるエラーを推測した場合に、例えばエラーメッセージ又はアラームを出力するといったように、人工呼吸器（１０）に制御介入を行うように構成されていることを特徴とする、請求項１〜１３のいずれか一項に記載の人工呼吸器（１０）。
【手続補正書】
【提出日】令和3年9月8日(2021.9.8)
【手続補正１】
【補正対象書類名】特許請求の範囲
【補正対象項目名】全文
【補正方法】変更
【補正の内容】
【特許請求の範囲】
【請求項１】
一対の多焦点眼内インプラントから成るアセンブリであって、
前記一対の多焦点眼内インプラントはそれぞれ、直径４ｍｍ以下、好ましくは３ｍｍ以下の瞳孔に関して、着用者の遠視力（ＶＬ）に対応するピーク（Ａ／ＶＬ；Ｂ／ＶＬ）と、中間視力（ＶＩ）と近見視力（ＶＰ）との間で広がる、すなわち中間視力（ＶＩ）と近見視力（ＶＰ）との間で不連続とならない非対称ピーク（Ａ／ＰＥ；Ｂ／ＰＥ）とを有するＴＦＭＴＦ（スルーフォーカス変調伝達関数）曲線を有し、
前記一対の多焦点眼内インプラントの一方に関して、ＴＦＭＴＦ値は、近見視力（ＶＰ）よりも中間視力（ＶＩ）において大きいことと、
前記一対の多焦点眼内インプラントの他方に関して、前記ＴＦＭＴＦ値は、中間視力（ＶＩ）よりも近見視力（ＶＰ）において大きいことと、
前記一対の多焦点眼内インプラントの前記一方の前記非対称ピーク（Ａ／ＰＥ）の立ち上がりエッジ（ＦＡ）が、絶対値として、立ち下がりエッジ（ＦＤ）よりも大きい平均勾配を有する一方で、前記一対の多焦点眼内インプラントの前記他方の前記非対称ピーク（Ｂ／ＰＥ）の立ち上がりエッジ（ＦＡ）は、絶対値として、立ち下がりエッジ（ＦＤ）よりも小さい平均勾配を有することと
を特徴とするアセンブリ。
【請求項２】
前記非対称ピーク（Ａ／ＰＥ；Ｂ／ＰＥ）の重なりは、少なくとも０．１０のＴＦＭＴＦ値に対応することを特徴とする請求項１に記載のアセンブリ。
【請求項３】
前記非対称ピーク（Ａ／ＰＥ；Ｂ／ＰＥ）の前記重なりは、少なくとも０．１５のＴＦＭＴＦ値に対応することを特徴とする請求項２に記載のアセンブリ。
【請求項４】
前記非対称ピーク（Ａ／ＰＥ；Ｂ／ＰＥ）の各々の頂点は、少なくとも０．１５のＴＦＭＴＦ値を有することを特徴とする請求項３に記載のアセンブリ。
【請求項５】
遠視力（ＶＬ）に対応する前記ピーク（Ａ／ＶＬ；Ｂ／ＶＬ）の頂点におけるそれぞれのＴＦＭＴＦ値は、３０％未満の差を有することを特徴とする請求項１から４のいずれか１項に記載のアセンブリ。
【手続補正書】
【提出日】令和3年9月29日(2021.9.29)
【手続補正１】
【補正対象書類名】特許請求の範囲
【補正対象項目名】全文
【補正方法】変更
【補正の内容】
【特許請求の範囲】
【請求項１】
処置部位から流体を排出し、又は処置部位に流体を送達するための、患者の体内の処置部位への埋込み用の生体吸収性デバイスであって、
２つの組織表面を離間して保持することによりチャネルを画定するための、生体吸収性弾性トラスであって、該処置部位からの流体が該チャネル内へ流出でき、又は該チャネルから該処置部位へ流体が送達されることができる、生体吸収性弾性トラスと、
１つ以上の該チャネルと流体連通しており、陰圧源又は陽圧源に接続可能なポートと、
を含む、デバイス。
【請求項２】
前記トラスは、可撓性の細長トラス部材を含み、前記トラス部材は、湾曲しており、かつ前記チャネルの壁に沿って配置されている、請求項１に記載のデバイス。
【請求項３】
前記トラス部材は、実質的にらせん状である、請求項２に記載のデバイス。
【請求項４】
前記トラスは、前記チャネルを画定する可撓性チューブを形成する、請求項２又は３のいずれか一項に記載のデバイス。
【請求項５】
複数の可撓性の細長トラス部材をさらに含む、請求項１から４のいずれか一項に記載のデバイス。
【請求項６】
前記トラス部材の第１のトラス部材は、第１のピッチ長を有して実質的にらせん状であり、
前記トラス部材の第２のトラス部材は、第２のピッチ長を有して実質的にらせん状であり、第１のトラス部材と反対の方向にらせん状に巻かれており、該第２のピッチ長は、該第１のピッチ長と同じであり、
該第１のトラス部材及び該第２のトラス部材は、別個の点で互いに接合されている、請求項５に記載のデバイス。
【請求項７】
それぞれ前記チャネルの側面に沿って長手方向に延びており、かつ別個の点で前記第１のトラス部材及び／又は前記第２のトラス部材に接合されている、２つの可撓性の細長側部トラス部材をさらに含む、請求項６に記載のデバイス。
【請求項８】
可撓性生体吸収性シートをさらに含み、前記チャネルは、前記可撓性シートの表面と、前記処置部位の組織の表面又は前記処置部位の骨の表面との間に形成されているように、前記シートは、前記チャネルの壁の少なくとも一部を形成している、請求項１から７のいずれか一項に記載のデバイス。
【請求項９】
前記可撓性シートは、前記トラスの周りに巻き付けられている、請求項８に記載のデバイス。
【請求項１０】
２つの可撓性生体吸収性シートをさらに含み、前記チャネルは、該２つの可撓性シートの相対する表面の間に形成されている、請求項１から９のいずれか一項に記載のデバイス。
【請求項１１】
前記チャネル内への流体の流れを可能にするための、可撓性シート又は少なくとも１つの可撓性シートの、複数の開口部を前記チャネルの壁に沿ってさらに含む、請求項８から１０のいずれか一項に記載のデバイス。
【請求項１２】
少なくとも１つのトラス部材が、少なくとも１つの可撓性シートに織り込まれ若しくは少なくとも１つの可撓性シートの中を縫って通り、又は少なくとも１つの可撓性シートに縫い込まれ若しくは縫い付けられている、所定の長さの糸又はテープを含む、請求項８から１１のいずれか一項に記載のデバイス。
【請求項１３】
前記可撓性シート又は各可撓性シートは、細胞外マトリックス（ｅｘｔｒａｃｅｌｌｕｌａｒ  ｍａｔｒｉｘ：ＥＣＭ）又はポリマー材料の、１つ以上の層を含む、請求項８から１２のいずれか一項に記載のデバイス。
【請求項１４】
前記ＥＣＭは、反芻動物の前胃の脱細胞化された固有粘膜下組織で形成されている、請求項１３に記載のデバイス。
【請求項１５】
前記ＥＣＭは、ドキシサイクリン、テトラサイクリン、銀、ＦＧＦ−２、ＴＧＦ−Ｂ、ＴＧＦ−Ｂ２、ＢＭＲ７、ＢＭＰ−１２、ＰＤＧＦ、ＩＧＦ、コラーゲン、エラスチン、フィブロネクチン、及びヒアルロナンを含む群から選択される、生物活性剤を含有する、請求項１４に記載のデバイス。
【請求項１６】
前記トラスは、前記チャネルを画定する細長可撓性チューブを形成し、
前記デバイスは、少なくとも所定の長さの該可撓性チューブを波状の形状に保持する、１つ以上の接合器を含む、請求項１から１５のいずれか一項に記載のデバイス。
【請求項１７】
患者の体内で、処置部位から流体を排出し、又は処置部位に流体を送達するためのシステムであって、
（ｉ）請求項１から１６のいずれか一項に記載のデバイスと、
（ｉｉ）該デバイスの前記ポート又は流体不透過性被覆材のいずれかに解放可能に結合された導管と、
（ｉｉｉ）該患者の該体の外部に配置されたリザーバであって、該導管から流体を受け又は該導管に流体を送達するために、該導管と流体連通している、リザーバと、
（ｉｖ）該デバイスに陽圧又は陰圧を送達するために該導管に結合された圧力源と、
を含む、システム。
【請求項１８】
前記圧力源は、流体が前記処置部位から前記デバイス内に排出されて、前記導管を通して前記リザーバに移送されるように、陰圧を前記デバイスに与えることができる、請求項１７に記載のシステム。
【請求項１９】
流体を、前記処置部位から運ぶために、及び前記処置部位に運ぶために、圧力源が、該デバイスに陰圧を送達することができる、請求項１７に記載のシステム。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
患者にガスの流れを提供する呼吸器であって、
閉ループ制御を使用して前記患者へのガスの供給を制御するように構成されたコントローラであって、
−  少なくとも１つのセンサーから、患者の酸素飽和度（ＳｐＯ２）を示す患者パラメータデータを受信することと、
−  制御フェーズを実行することであって、治療セッション中の前記呼吸器の動作は、少なくとも部分的に前記患者パラメータデータに基づいている、前記制御フェーズを実行することと、
を行うように構成されたコントローラと、
前記呼吸器の動作中、患者に供給されるガス流の酸素含有量（ＦｄＯ２）を少なくとも決定するように構成されたガス組成センサーであって、前記ガス組成センサーが超音波センサーシステムである、前記ガス組成センサーと、
を含み、
前記少なくとも１つのセンサーは、パルスオキシメータである、呼吸器。
【請求項２】
フェイスマスク、鼻マスク、鼻枕マスク、気管切開インターフェース、鼻カニューレ又は気管内チューブの少なくとも１つから選択された患者インターフェースをさらに含み、前記鼻カニューレは、非シール鼻カニューレである、請求項１に記載の呼吸器。
【請求項３】
ネーザルハイフロー（ＮＨＦ）でガスの流れを前記患者に供給するように構成された、請求項１または２に記載の呼吸器。
【請求項４】
前記コントローラは、前記ガス流の酸素濃度を示す機器パラメータデータを受信するように構成されている、請求項１〜３のいずれか一項に記載の呼吸器。
【請求項５】
補足ガス流入口弁をさらに含み、前記コントローラは前記補足ガス流入口弁の動作を制御するように構成され、前記補足ガス流入口弁は比例弁であり、前記補足ガス流入口弁は酸素流入口弁である、請求項１〜４のいずれか一項に記載の呼吸器。
【請求項６】
周囲空気流入口をさらに含む、請求項１〜５のいずれか一項に記載の呼吸器。
【請求項７】
前記ガス組成センサーは、前記呼吸器の送風器モジュールの下流に位置決めされており、前記送風器モジュールは周囲空気と酸素とを混合する、請求項１〜６のいずれか一項に記載の呼吸器。
【請求項８】
前記閉ループ制御は、目標ＦｄＯ２を決定するように構成された第１の閉ループ制御モデルを使用することを含み、
前記目標ＦｄＯ２は、少なくとも部分的に、目標ＳｐＯ２及び実測ＳｐＯ２に基づいて決定され、
前記目標ＦｄＯ２は、少なくとも部分的に、実測ＦｄＯ２にさらに基づいて決定されるか、及び／又は、前記目標ＦｄＯ２は、少なくとも部分的に、以前の目標ＦｄＯ２にさらに基づいて決定される、請求項１〜７のいずれか一項に記載の呼吸器。
【請求項９】
前記閉ループ制御は、少なくとも部分的に前記目標ＦｄＯ２と前記実測ＦｄＯ２との差に基づいて、酸素流入口弁のための制御信号を決定するように構成された第２の閉ループ制御モデルを使用することを含み、前記酸素流入口弁のための前記制御信号は、少なくとも部分的にガス流量にさらに基づいて決定され、前記ガス流量は、総ガス流量である、請求項１〜８のいずれか一項に記載の呼吸器。
【請求項１０】
前記コントローラは、前記少なくとも１つのセンサーの信号品質が閾値を下回るとき、手動動作モードに移るように構成され、前記コントローラは、前記ＳｐＯ２が、規定された限界値外であるとき、手動動作モードに移るように構成される、請求項１〜９のいずれか一項に記載の呼吸器。
【請求項１１】
前記コントローラは、前記ＳｐＯ２が、規定された限界値外であるとき、アラームをトリガするように構成される、請求項１〜１０のいずれか一項に記載の呼吸器。
【請求項１２】
前記超音波センサーシステムは、第１の超音波トランスデューサ及び第２の超音波トランスデューサを含む、請求項１〜１１のいずれか一項に記載の呼吸器。
【請求項１３】
前記第１の超音波トランスデューサ及び前記第２の超音波トランスデューサのそれぞれは、受信器及び送信器であり、前記第１の超音波トランスデューサ及び前記第２の超音波トランスデューサは、双方向にパルスを送る、請求項１２に記載の呼吸器。
【請求項１４】
前記第１の超音波トランスデューサ又は前記第２の超音波トランスデューサの少なくとも一方は、前記ガス流に沿ってパルスを送る、請求項１２または１３に記載の呼吸器。
【請求項１５】
前記第１の超音波トランスデューサ又は前記第２の超音波トランスデューサの少なくとも一方は、前記ガス流にわたってパルスを送る、請求項１２または１３に記載の呼吸器。
【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
対向する顎（４）のための少なくとも一つのガイド（３、３０、３１）を含む支持顎（２）用のガイドされたバイトスプリント（１）を製作する方法であって、上顎（２）の３Ｄモデル（５）および／または下顎（４）の３Ｄモデル（６）が利用可能であり、前記上顎および前記下顎の前記３Ｄモデル（５、６）が咬合位置（７）において互いに対して配置され、前記バイトスプリント（１）の１ピースの３Ｄモデル（１３）が、前記上顎（２）の前記３Ｄモデル（５）および前記下顎（４）の前記３Ｄモデル（６）を使用して構築され、前記対向する顎（４）の前記少なくとも一つのガイド（３、３０、３１）が、コンピュータの支援によって前記バイトスプリント（１）の前記３Ｄモデル（１３）上に自動的に構築され、前記ガイドされたバイトスプリント（１）の前記３Ｄモデル（１３）がコンピュータの支援によって自動的に計算され、前記ガイドされたバイトスプリント（１）は、前記支持顎（２）上の画定された接触領域を覆い、少なくとも一つの局所の咬頭先端が対向する顎（４）の少なくとも一つの歯（１７）の支持点（１８）として画定されているという条件が満足されなければならないことを特徴とする、方法。
【請求項２】
前記上顎および前記下顎の前記３Ｄモデル（５、６）が、前記上顎（２）に対して前記下顎（４）の咬合動作（１０、１１、１２）をシミュレーションする仮想咬合器モデル（８）に組み込まれることを特徴とする、請求項１に記載の方法。
【請求項３】
前記支持顎（２）としての、前記上顎（２）上および前記下顎上の前記ガイドされたバイトスプリント（１）の延長が、コンピュータの支援によって自動的にまたはユーザによって設定されることを特徴とする、請求項１に記載の方法。
【請求項４】
前記ガイドされたバイトスプリント（１）の最小厚さが、コンピュータの支援によって自動的にまたはユーザによって設定されることを特徴とする、請求項１〜３のいずれか一項に記載の方法。
【請求項５】
前記ガイドされたバイトスプリント（１）の所望の咬合位置（７）における咬合開口の画定された距離が、コンピュータの支援によって自動的にまたはユーザによって設定されることを特徴とする、請求項１〜４のいずれか一項に記載の方法。
【請求項６】
前記対向する顎（４）上に構成される前記ガイド（３、３０、３１）の少なくとも一つのガイドポイント（１４、１５、１６）が、コンピュータの支援によって自動的にまたはユーザによって手動で画定されることを特徴とする、請求項１〜５のいずれか一項に記載の方法。
【請求項７】
少なくとも一つの移動プロファイル（１９、２０、２１、２２、２３）が各ガイドポイント（１４、１５、１６）に対して画定されることを特徴とする、請求項６に記載の方法。
【請求項８】
前記ガイド（３、３０、３１）の表面形状が、前記少なくとも一つの移動プロファイル（１９、２０、２１、２２、２３）の関数としてコンピュータの支援によって自動的に計算されることを特徴とする、請求項７に記載の方法。
【請求項９】
少なくとも二つの移動プロファイル（１９、２０、２１、２２、２３）が、各ガイドポイント（１４、１５、１６）の二つの異なる平面において画定され、前記ガイド（３、３０、３１）の表面形状が、滑らかな移行が生まれるように、前記二つの移動プロファイル（１９、２０、２１、２２、２３）の二つの平面間に補間されることを特徴とする、請求項８に記載の方法。
【請求項１０】
前記バイトスプリント（１）の構築の間に、前記ガイドされたバイトスプリント（１）の前記仮想３Ｄモデル（１３）の表面が、前記対向する顎（４）が、画定された範囲内で、前記仮想咬合器モデル（８）における前記少なくとも一つのガイド（３）に沿って移動する限り、前記対向する顎（４）の前記３Ｄモデル（６）の表面点が実質的に貫通されない程度に、減少されることを特徴とする、請求項１〜９のいずれか一項に記載の方法。
【請求項１１】
前記ガイドされたバイトスプリント（１）が、ＣＡＭ機械（３８）などの減法製造法を使用して、または３Ｄプリンタなどの付加製造法を使用して、前記バイトスプリント（１）の前記構築された３Ｄモデル（１３）に従って完全に自動的に製作されることを特徴とする、請求項１〜１０のいずれか一項に記載の方法。
【請求項１２】
前記対向する顎（４）用の前記少なくとも一つのガイド（３、３０、３１）が、コンピュータの支援によって自動的に構築され、前記ガイドされたバイトスプリント（１）が、ＣＡＭ機械（３８）などの減法製造法を使用して、または３Ｄプリンタなどの付加製造法を使用して、前記バイトスプリント（１）の前記構築された３Ｄモデル（１３）に従って完全に自動的に製作されることを特徴とする、請求項１〜１１のいずれか一項に記載の方法を使用して製作されたガイドされたバイトスプリント（１）。
【請求項１３】
前記対向する顎（４）の前記ガイド（３、３０、３１）が、請求項６〜１１のいずれか一項に記載の前記少なくとも一つの移動プロファイル（１９、２０、２１、２２、２３）を使用して、少なくとも一つのガイドポイント（１４、１５、１６）で構築されることを特徴とする、請求項１２に記載のガイドされたバイトスプリント（１）。
【手続補正２】
【補正対象書類名】明細書
【補正対象項目名】０００５
【補正方法】変更
【補正の内容】
【０００５】
ＵＳ２０１５０２３８２８０Ａ１号は、顎矯正のために顎を位置決めするための装置および方法を開示し、治療計画が提供され、歯科装置の仮想モデルは患者の二つの顎を再配置するように構成された第一シェルおよび第二シェルを含む。第一の要素は上部シェルに取り付けることができ、第二の要素は下部シェルに取り付けることができ、二つの要素は互いに接触して、二つの顎の所望の変位をもたらす。
ＥＰ１５１６６０４Ａ１号は、上顎スプリントおよび下顎スプリントを有する口腔内治療装置、好ましくはいびき治療装置を開示し、二つのスプリントは固定ロッドで関節形式で互いに接続されている。
既知の方法の一つの不利点は、ガイドされたバイトスプリントのガイドが、手動の再加工によって後に加えられることである。
【手続補正３】
【補正対象書類名】明細書
【補正対象項目名】００３１
【補正方法】変更
【補正の内容】
【００３１】
ガイドされたバイトスプリントの３Ｄモデルは、コンピュータの支援によって自動的に計算されるが、ガイドされたバイトスプリントは、支持顎上の画定された接触領域を覆い、少なくとも一つの局所の咬頭先端が対向する顎の少なくとも一つの歯の支持点として画定されているという条件を満足しておく必要がある
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
無線ＬＡＮ（ＷＬＡＮ）システムにおけるステーション（ＳＴＡ）がＡＣＫ（Ａｃｋｎｏｗｌｅｄｇｅｍｅｎｔ）情報を送信する方法において、
アクセスポイント（ＡＰ）から１つのサービス区間（ｓｅｒｖｉｃｅ  ｐｅｒｉｏｄ；ＳＰ）に対するＴＤＤ（Ｔｉｍｅ  Ｄｉｖｉｓｉｏｎ  Ｄｕｐｌｅｘ）割り当て情報を受信し、前記１つのＳＰは少なくとも１つの第１の単位時間（ｔｉｍｅ  ｕｎｉｔ）を含み、前記少なくとも一つの第１の単位時間の中の１つの第１の単位時間が少なくとも１つの第２の単位時間を含み、前記ＴＤＤ割り当て情報は、前記少なくとも一つの第２の単位時間についての割当て情報を含み、
前記少なくとも一つの第２の単位時間に前記ＡＣＫ情報を前記ＡＰに送信することを含み、前記少なくとも１つの第２の単位時間は前記ＴＤＤ割り当て情報に基づいて決定される、ステーションのＡＣＫ情報送信方法。
【請求項２】
前記ＴＤＤ割り当て情報は、前記少なくとも１つの第２の単位時間が前記ＡＣＫ情報の送信のために割り当てられることについての情報を含む、請求項１に記載のステーションのＡＣＫ情報送信方法。
【請求項３】
前記ＴＤＤ割り当て情報は２ビット情報を含み、
前記２ビット情報は、前記少なくとも一つの第２の単位時間の中の一つの第２の単位時間が前記ＡＣＫ情報の送信のために割り当てられるか否かについての情報を含む、請求項２に記載のステーションのＡＣＫ情報送信方法。
【請求項４】
前記１つのＳＰに含まれる第１の単位時間の個数がＱであり、前記１つの第１の単位時間に含まれる第２の単位時間の個数がＭである場合、
前記ＴＤＤ割り当て情報は、下記の数式を満たすオクテット（ｏｃｔｅｔｓ）のサイズを有し、
［数式］
2020535745.tif 000001
ここで、
2020535745.tif 000002
は、Ａよりも大きいか等しい整数のうち、最も小さい整数値を示す、請求項３に記載のステーションのＡＣＫ情報送信方法。
【請求項５】
前記ＳＴＡが前記ＡＣＫ情報を送信する特定の第２の単位時間は、前記一つの第１の単位時間の最後の区間に割り当てられる、請求項１に記載のステーションのＡＣＫ情報送信方法。
【請求項６】
前記ＳＴＡは、前記ＡＣＫ情報の送信に先だって、前記ＡＰから前記ＡＣＫ情報の送信を要請する信号を受信する、請求項１に記載のステーションのＡＣＫ情報送信方法。
【請求項７】
前記１つのＳＰは、データ伝送区間（ｄａｔａ  ｔｒａｎｓｆｅｒ  ｉｎｔｅｒｖａｌ；ＤＴＩ）に含まれる、請求項１に記載のステーションのＡＣＫ情報送信方法。
【請求項８】
無線ＬＡＮ（ＷＬＡＮ）システムにおけるアクセスポイント（ＡＰ）がステーション（ＳＴＡ）からＡＣＫ（Ａｃｋｎｏｗｌｅｄｇｅｍｅｎｔ）情報を受信する方法において、
１つのサービス区間（ｓｅｒｖｉｃｅ  ｐｅｒｉｏｄ；ＳＰ）に対するＴＤＤ（Ｔｉｍｅ  Ｄｉｖｉｓｉｏｎ  Ｄｕｐｌｅｘ）割り当て情報を前記ＳＴＡに送信し、
前記１つのＳＰは少なくとも１つの第１の単位時間（ｔｉｍｅ  ｕｎｉｔ）を含み、前記少なくとも一つの第１の単位時間の中の１つの第１の単位時間は少なくとも１つの第２の単位時間を含み、前記ＴＤＤ割り当て情報は、前記少なくとも１つの第２の単位時間についての割当て情報を含み、
前記少なくとも一つの第２の単位時間に前記ＳＴＡから前記ＡＣＫ情報を受信することを含み、前記少なくとも一つの第２の単位時間は前記ＴＤＤ割り当て情報に基づいて決定される、アクセスポイントのＡＣＫ情報受信方法。
【請求項９】
前記ＴＤＤ割り当て情報は、前記少なくとも１つの第２の単位時間が前記ＡＣＫ情報の送信のために割り当てられることについての情報を含む、請求項８に記載のアクセスポイントのＡＣＫ情報受信方法。
【請求項１０】
前記ＴＤＤ割り当て情報は、２ビット情報を含み、
前記２ビット情報は、前記少なくとも一つの第２の単位時間の中の一つの第２の単位時間が前記ＡＣＫ情報の送信のために割り当てられるか否かについての情報を含む、請求項９に記載のアクセスポイントのＡＣＫ情報受信方法。
【請求項１１】
前記１つのＳＰに含まれる第１の単位時間の個数がＱであり、前記１つの第１の単位時間に含まれる第２の単位時間の個数がＭである場合、
前記ＴＤＤ割り当て情報は、下記の数式を満たすオクテット（ｏｃｔｅｔｓ）のサイズを有し、
［数式］
2020535745.tif 000003
ここで、
2020535745.tif 000004
は、Ａよりも大きいか等しい整数のうち、最も小さい整数値を示す、請求項１０に記載のアクセスポイントのＡＣＫ情報受信方法。
【請求項１２】
前記ＡＰが前記ＳＴＡから前記ＡＣＫ情報を受信する特定の第２の単位時間は、前記一つの第１の単位時間の最後の区間に割り当てられる、請求項８に記載のアクセスポイントのＡＣＫ情報受信方法。
【請求項１３】
前記ＡＰは、前記ＡＣＫ情報の受信に先だって、前記ＳＴＡに前記ＡＣＫ情報の送信を要請する信号を送信する、請求項８に記載のアクセスポイントのＡＣＫ情報受信方法。
【請求項１４】
前記１つのＳＰは、データ伝送区間（ｄａｔａ  ｔｒａｎｓｆｅｒ  ｉｎｔｅｒｖａｌ；ＤＴＩ）に含まれる、請求項８に記載のアクセスポイントのＡＣＫ情報受信方法。
【請求項１５】
無線ＬＡＮ（ＷＬＡＮ）システムにおけるＡＣＫ（Ａｃｋｎｏｗｌｅｄｇｅｍｅｎｔ）情報を送信するステーション装置において、
少なくとも１つのＲＦ（Ｒａｄｉｏ  Ｆｒｅｑｕｅｎｃｙ）チェーンを有し、他のステーション装置と信号を送受信するように構成される送受信部と、
前記送受信部と連結され、前記他のステーション装置と送受信した信号を処理するプロセッサを含み、
前記プロセッサは、
前記他のステーション装置から１つのサービス区間（ｓｅｒｖｉｃｅ  ｐｅｒｉｏｄ；ＳＰ）に対してＴＤＤ（Ｔｉｍｅ  Ｄｉｖｉｓｉｏｎ  Ｄｕｐｌｅｘ）割り当て情報を受信し、前記１つのＳＰは少なくとも１つの第１の単位時間（ｔｉｍｅ  ｕｎｉｔ）を含み、前記少なくとも一つの第１の単位時間の中の１つの第１の単位時間は少なくとも１つの第２の単位時間を含み、前記ＴＤＤ割り当て情報は、前記少なくとも１つの第２の単位時間についての割当て情報を含み、
前記少なくとも一つの第２の単位時間に前記ＡＣＫ情報を前記他のステーション装置に送信するように構成され、前記少なくとも１つの第２の単位時間は前記ＴＤＤ割り当て情報に基づいて決定される、ステーション装置。